(57)【特許請求の範囲】
【請求項１】
複数個の花火が順次燃焼するようにした玩具花火において、各花火は台紙の一縁に複数本の火薬部を突設すると共に各火薬部の先端を導火線により相互に連結し、該導火線の端部を該導火線の長さ方向に延長させて延長部を形成し、該台紙には係止部を形成してなり、以て非使用時に二つの花火を相互に対向させた状態で組み合わせたときには相互に一方の花火の導火線が他方の花火における台紙の係止部により固定され、使用時には複数個の花火を同一の方向に向けた状態で相互に隣接する花火のうちの一方の花火における台紙の側端部を他方の花火における台紙の係止部に係止させることにより当該花火を相互に連結すると共に当該花火における導火線の対応延長部が相互に近接し、一方の導火線の火が他方の導火線に移るようにしたことを特徴とする玩具花火。
【請求項２】
前記係止部は前記台紙に切り込み線を設けることにより形成した係止舌部であり、非使用時に二つの花火を相互に対向させた状態で組み合わせたときには一方の花火の導火線が他方の花火の台紙表面と係止舌部との間に挟持されることにより固定され、使用時には複数個の花火を同一の方向に向けた状態で相互に隣接する花火のうちの一方の花火における台紙の側端部を他方の花火における台紙表面と係止舌部との間に挿入することにより当該花火を相互に連結するようにしたことを特徴とする請求項１の玩具花火。
【発明の詳細な説明】
【０００１】
【発明の属する技術分野】
本発明は玩具花火に関するものであり、特に複数個の花火が順次燃焼するようにした玩具花火に係るものである。
【０００２】
【従来の技術】
複数個の花火が順次燃焼するようにした玩具花火としては、複数個の花火を導火線を介して相互に連結してなるものが知られている。即ち、この玩具花火は、複数個の花火における一つの花火の火薬部と別の花火の火薬部とを導火線を介して相互に接続し、或いは複数個の花火における一つの花火の火薬部から導出した導火線と別の花火の火薬部から導出した導火線とを相互に結着してなるものである。
【０００３】
【発明が解決しようとする課題】
しかるに、このように各花火の火薬部を導火線を介して相互に接続し、或いは各花火の火薬部から導火線を導出すると共にこれらの導火線を相互に結着させる作業は面倒であり、玩具花火の製造コストが嵩むという謗りを免れないものである。
【０００４】
このような状況に鑑み、本発明は複数個の花火が順次燃焼するようにした玩具花火における連結手段を改良し、玩具花火の製造を容易ならしめようとしてなされたものである。
【０００５】
【課題を解決するための手段】
上記課題を解決するために、本発明は下記の玩具花火を提供する。
【０００６】
（１）複数個の花火が順次燃焼するようにした玩具花火において、各花火は台紙の一縁に複数本の火薬部を突設すると共に各火薬部の先端を導火線により相互に連結し、該導火線の端部を該導火線の長さ方向に延長させて延長部を形成し、該台紙には係止部を形成してなり、以て非使用時に二つの花火を相互に対向させた状態で組み合わせたときには相互に一方の花火の導火線が他方の花火における台紙の係止部により固定され、使用時には複数個の花火を同一の方向に向けた状態で相互に隣接する花火のうちの一方の花火における台紙の側端部を他方の花火における台紙の係止部に係止させることにより当該花火を相互に連結すると共に当該花火における導火線の対応延長部が相互に近接し、一方の導火線の火が他方の導火線に移るようにしたことを特徴とする玩具花火（請求項１）。
【０００７】
（２）前記係止部は前記台紙に切り込み線を設けることにより形成した係止舌部であり、非使用時に二つの花火を相互に対向させた状態で組み合わせたときには一方の花火の導火線が他方の花火の台紙表面と係止舌部との間に挟持されることにより固定され、使用時には複数個の花火を同一の方向に向けた状態で相互に隣接する花火のうちの一方の花火における台紙の側端部を他方の花火における台紙表面と係止舌部との間に挿入することにより当該花火を相互に連結する（請求項２）。
【０００８】
【作用】
［請求項１の玩具花火］
玩具花火の非使用時、即ち玩具花火の運搬時、保管時、陳列時等には、二つの花火を相互に対向させた状態で組み合わせたときには相互に一方の花火の導火線が他方の花火における台紙の係止部により固定される。従って、該導火線が損傷等から保護される。玩具花火の使用時には、複数個の花火を同一の方向に向けた状態で台紙の係止部により当該花火が相互に連結される。このとき、当該花火における導火線の対応延長部が相互に近接し、一方の導火線の火が他方の導火線に移る。従って、一つの花火における複数本の火薬部が燃焼を開始した後、該花火に隣接する花火における複数本の火薬部が燃焼を開始する。以後同様にして、各花火の火薬部が順次燃焼する。
【０００９】
［請求項２の玩具花火］
前記係止部は前記台紙に切り込み線を設けることにより形成した係止舌部である。即ち、玩具花火の非使用時には、導火線は台紙表面と係止舌部との間に挟持されることにより固定され、玩具花火の使用時には、各花火は台紙の側端部を別の花火における台紙表面と係止舌部との間に挿入することにより相互に連結される。その他の点においては、請求項２の玩具花火は前記請求項１の玩具花火と同様の作用を有する。
【００１０】
【発明の実施の形態】
次に、本発明の実施の形態を添付図面に従って説明する。
【００１１】
まず、図１に示す事例について説明する。
この事例の玩具花火は、複数個の花火１、１…が順次燃焼するようにしたものであるが、各花火１を花火保持手段３に保持させることにより各花火１の位置を固定している。
【００１２】
図１に示す事例における花火保持手段３は、外箱５内に複数の内箱７を相互に密着させた状態で移動不能に収納し、各内箱７内に花火１を移動不能に収納するようにしたものである。
【００１３】
内箱７内の下部には底板９を設け、内箱７内の上部には中央に透孔１１を有する位置固定板１３を設け、花火１を底板９上に載置すると共に該花火１の上端を位置固定板１３の透孔１１に嵌着している。
【００１４】
図１に示す事例における各花火１は噴き出し花火である。この花火１は、筒状体１５内には導火線挿入孔１７を備えた中栓１９と底部２１とを取り付け、該中栓１９と底部２１との間に火薬を充填して火薬部２３となし、導火線２５の基端２５ａを中栓１９の導火線挿入孔１７より火薬部２３中に導入し、該導火線２５を点火薬等の固着手段２７により導火線挿入孔１７に固着してなるものである。
【００１５】
各花火１の火薬部２３から導出した導火線２５の先端２５ｂを他の花火１における炎、火の粉又は火花の放出範囲２９内に臨ませ、一つの花火１が放出する炎、火の粉又は火花により他の花火１の導火線２５が順次着火するようになす。
【００１６】
図１、図２に示す事例においては、内箱７に立設した耳２６に導火線挿通孔２８を形成し、該導火線挿通孔２８に導火線２５を挿通させることにより、導火線２５の先端２５ｂを他の花火１における炎、火の粉又は火花の放出範囲２９内に臨ませている。
【００１７】
各花火１の火薬部２３から導出した導火線２５の先端２５ｂは他の花火１の導火線２５に接続され、或いは他の花火１の火薬部２３に導入されるものではない。
【００１８】
次に、図３〜図８に示す事例について説明する。
この事例の玩具花火も複数個の花火３１、３１…が順次燃焼するようにしたものである。各花火３１は、台紙３３の一縁３３ａに複数本の火薬部３５、３５…を突設すると共に各火薬部３５の先端３５ａを導火線３７により相互に連結し、該導火線３７の端部を該導火線３７の長さ方向に延長させて延長部３９、３９を形成し、該台紙３３には係止部４１、４１…を形成してなるものである。各火薬部３５は一例として筒状体内に火薬を充填してなるものである。
【００１９】
玩具花火の非使用時には、図４、図５に示すように、二つの花火３１、３１を相互に対向させた状態で組み合わせたときには相互に一方の花火３１の導火線３７が他方の花火３１における台紙３３の係止部４１、４１…により固定される。
【００２０】
玩具花火の使用時には、図６、図７に示すように、複数個の花火３１、３１…を同一の方向に向けた状態で相互に隣接する花火３１、３１のうちの一方の花火３１における台紙３３の側端部３３ｂを他方の花火３１における台紙３３の係止部４１に係止させることにより当該花火３１、３１を相互に連結する。
【００２１】
玩具花火の使用時には、更に、当該花火３１、３１における導火線３７、３７の対応延長部３９、３９が相互に近接し、一方の導火線３７の火が他方の導火線３７に移るようになす。この場合、導火線３７、３７の対応延長部３９、３９は相互に近接していれば足り、対応延長部３９、３９を連結具等により相互に連結する必要はない。図８参照。
【００２２】
図示の事例における係止部４１は台紙３３に切り込み線４１ａを設けることにより形成した係止舌部４１ｂである。
【００２３】
即ち、玩具花火の非使用時に二つの花火３１、３１を相互に対向させた状態で組み合わせたときには一方の花火３１の導火線３７が他方の花火３１の台紙３３表面と係止舌部４１ｂとの間に挟持されることにより固定され、玩具花火の使用時には複数個の花火３１、３１…を同一の方向に向けた状態で相互に隣接する花火３１、３１のうちの一方の花火３１における台紙３３の側端部３３ｂを他方の花火３１における台紙３３表面と係止舌部４１ｂとの間に挿入することにより当該花火３１、３１を相互に連結するのである。
【００２４】
【発明の効果】
［請求項１の発明］
複数個の花火を連結する際に、各花火における導火線の対応延長部が相互に近接し、一方の導火線の火が他方の導火線に移るようにしたため、導火線を連結具等により相互に連結する必要はない。従って、複数個の花火を連結する作業は極めて容易である。また、玩具花火の非使用時、即ち玩具花火の運搬時、保管時、陳列時等には、二つの花火を相互に対向させた状態で組み合わせたときには相互に一方の花火の導火線が他方の花火における台紙の係止部により固定されるため、該導火線が損傷等から保護される。
【００２５】
［請求項２の発明］
係止部は台紙に切り込み線を設けることにより形成した係止舌部である。従って、台紙に係止舌部を形成する作業は極めて容易である。その他の点においては、請求項２の発明は前記請求項１の発明と同様の効果を発揮する。
【図面の簡単な説明】
【図１】玩具花火の一例を示す断面図である。
【図２】内箱の耳を示す側面図である。
【図３】別の玩具花火における花火の一例を示す斜視図である。
【図４】同上玩具花火において、二つの花火を相互に対向させた状態で組み合わせた状態を示す平面図である。
【図５】図４のＶ−Ｖ線における断面図である。
【図６】同上玩具花火において、二つの花火を連結した状態を示す平面図である。
【図７】図６のＶＩＩ矢視図である。
【図８】  図６のＶＩＩＩ矢視図である。
【符号の説明】
１  花火
３  花火保持手段
５  外箱
７  内箱
９  底板
１１  透孔
１３  位置固定板
１５  筒状体
１７  導火線挿入孔
１９  中栓
２１  底部
２３  火薬部
２５  導火線
２５ａ  基端
２５ｂ  先端
２６  耳
２７  固着手段
２８  導火線挿通孔
２９  炎、火の粉又は火花の放出範囲
３１  花火
３３  台紙
３３ａ  一縁
３３ｂ  側端部
３５  火薬部
３５ａ  先端
３７  導火線
３９  延長部
４１  係止部
４１ａ  切り込み線
４１ｂ  係止舌部
【図１】
0003957524.tif 000002
【図２】
0003957524.tif 000003
【図３】
0003957524.tif 000004
【図４】
0003957524.tif 000005
【図５】
0003957524.tif 000006
【図６】
0003957524.tif 000007
【図７】
0003957524.tif 000008
【図８】
0003957524.tif 000009